(57)【要約】【課題】  医療従事者へ負担をかけず、できるだけ新たな設備を設置せずに、看護記録を効率的に登録できるようにする。【解決手段】  復旧操作部１４が操作された回数をカウント部１５にて調べ、その回数が１回である場合には、制御部１１は現在時刻情報を時計部２５から取得して看護開始時刻情報として出力し、２回である場合には、制御部１１は現在時刻情報を時計部２５から取得して看護終了時刻情報として出力している。また、その回数が１回である時点から２回となる時点までの間、制御部１１は、報知部１３を第２のパターンで動作させるようにしている。復旧操作部１４を操作するだけで看護記録を自動的に登録することができ、医療従事者に端末を持たせる必要も無くなるので、医療従事者への負担を軽減することができる。また、復旧操作部１４を利用しているので、看護記録を登録するための新たな設備を設置する必要がなくなる。【選択図】        図１
2010259502.tif 000002
【特許請求の範囲】
【請求項１】
病室内に設置され、前記病室内の患者による呼び出しの操作によって呼出信号を生成して出力するナースコール子機と、
現在時刻情報を出力する時計装置と、
前記病室内または前記病室の出入口近傍に設置され、前記ナースコール子機を前記呼び出しの操作が行われる前の状態に戻すため、または、医療従事者の前記病室への入退室を記録するために操作される復旧操作装置と、
前記復旧操作装置が操作された回数をカウントするカウント部と、音声、表示、点灯の少なくとも一つにより前記ナースコール子機が設置された病室の外部に向けて報知を行う報知部と、前記ナースコール子機から呼出信号を入力した場合に前記報知部を第一のパターンで動作させ、前記カウント部がカウントした回数が１回である場合に前記報知部を第二のパターンで動作させて前記時計装置から現在時刻情報を取得して看護開始時刻情報として出力するとともに、前記カウント部がカウントした回数が２回である場合に前記カウント部がカウントしている回数をリセットし、前記報知部の前記第二のパターンの動作を停止させて前記時計装置から現在時刻情報を取得して看護終了時刻情報として出力する制御部とを有する廊下灯と、
を備えたナースコールシステム。
【発明の詳細な説明】
【技術分野】
【０００１】
本発明は、病院や介護施設などで患者や被介護者からの要求に応じて看護師や介護者を呼び出すナースコールシステムに関し、特に、看護や介護の記録を行うことを可能としたナースコールシステムに関する。
【背景技術】
【０００２】
従来、ナースコールシステムでは、患者や被介護者（以下、まとめて患者と記載する）の近辺（例えば、ベッド近傍など）に設置されたナースコール子機と看護師や介護者（以下、まとめて医療従事者と記載する）の居る部屋などに設置されたナースコール親機とを有線や無線などにより接続している。また、ナースコール子機とナースコール親機との間には廊下灯や制御機などが接続されている。
【０００３】
ここで、廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯は、ナースコール親機と連動しており、ベッド近傍に設置されたナースコール子機により患者が呼び出しを行うと、ナースコール子機は、ナースコール親機、医療従事者が携帯する無線端末装置に呼び出しを通知するとともに、廊下灯に呼び出しを通知する。このとき、廊下灯は廊下灯に設けた点灯装置を点灯させる。これにより、医療従事者は、呼び出しを行った患者が居る病室を特定することができる。
【０００４】
ところで、患者がナースコール子機を操作して呼び出しを行った場合に、廊下灯の点灯装置を早い周期で点滅させ、医療従事者が患者の居る病室に行って復旧の操作を行うと点灯装置を連続点灯させて、看護を終えた医療従事者が病室を出るときに再び復旧の操作を行うと点灯装置を消灯させる技術が知られている(例えば、特許文献１など）。特許文献１に記載の技術では、医療従事者が病室内で看護を行っている場合には、廊下灯の点灯装置が連続点灯状態であるので、病室内で医療従事者が看護を行っていることを他の医療従事者に知らせることができる。
【０００５】
また、特許文献１に記載の技術では、ナースコール子機から呼び出しが行われた場合に、復旧の操作を二回行うことで、ナースコールシステムを待機状態に戻している。ここで、ナースコールシステムが待機状態に戻らないと、呼び出しを行ったナースコール子機から再び呼び出しを行うことができなくなってしまうため、医療従事者は、復旧の操作を必ず行わなければならないと常に意識することになる。
【０００６】
ところで、看護を行った記録である看護記録や介護を行った記録である介護記録を登録することが行われている。ここで、看護記録としては、ナースコール子機からの呼び出しに対応した場合には、呼び出しの内容や看護開始時刻、看護終了時刻などが登録される。また、ナースコール子機からの呼び出しへの対応ではなく、医療従事者が患者の居る病室を自発的に訪れて看護を行う場合には、看護内容や看護開始時刻、看護終了時刻などが看護記録として登録される。しかしながら、このような看護記録を登録する作業は手入力で行われることが多いため、医療従事者の業務効率を低下させてしまうという問題があった。
【０００７】
このような問題を解決するために、各地に点在する要介護者に対して介護を実施するヘルパーに端末を所持させ、要介護者宅に保管されているＩＤカードを端末に備えたカードリーダで読み取ることにより、介護開始時刻を登録し、介護終了ボタンの操作により介護終了時刻を登録する技術が知られている（例えば、特許文献２など）。
【０００８】
しかしながら、特許文献２に記載の技術によれば、介護を実施するヘルパー（換言すると、医療従事者）に端末を持たせなければならないため、医療従事者に負担をかけてしまうという問題があった。また、医療従事者の負担を軽減するために、各要介護者宅（換言すると患者の居る病室）に端末を設置した場合には、設置費用が莫大なものになってしまうという問題があった。
【先行技術文献】
【特許文献】
【０００９】
【特許文献１】特開平１０−２８６２３９号公報
【特許文献２】特開２０００−９９５８６号公報
【発明の概要】
【発明が解決しようとする課題】
【００１０】
本発明は、このような問題を解決するために成されたものであり、医療従事者への負担をできるだけかけないようにしつつ、できるだけ新たな設備を設置せずに、看護記録を効率的に登録できるようにすることを目的とする。
【課題を解決するための手段】
【００１１】
上述した課題を解決するために、本発明では、ナースコール子機からの呼び出しに対して１回目に復旧の操作が行われたときの時刻を看護開始時刻情報として出力し、２回目に復旧の操作が行われたときの時刻を看護終了時刻情報として出力している。また、ナースコール子機からの呼び出しが行われていない場合にも、１回目に復旧の操作が行われたときの時刻を看護開始時刻情報として出力し、２回目に復旧の操作が行われたときの時刻を看護終了時刻情報として出力している。また、１回目に復旧の操作が行われてから２回目に復旧の操作が行われるまでの間、廊下灯を通常のパターンと異なるパターンで報知させるようにしている。
【発明の効果】
【００１２】
上記のように構成した本発明によれば、医療従事者が復旧の操作を行うだけで看護開始時刻情報や看護終了時刻情報が出力されるので、これにより看護記録の看護開始時刻や看護終了時刻を自動的に登録することができる。従って、看護記録を登録する医療従事者への負担を軽減することができる。また、医療従事者に看護開始時刻や看護終了時刻を登録するための端末を持たせる必要が無くなるので、この点でも医療従事者への負担を軽減することができる。また、医療従事者が患者の居る病室を自発的に訪れて看護を行う場合でも、ナースコールシステムにおける復旧の操作を利用して看護開始時刻情報や看護終了時刻情報が出力されるので、看護開始時刻や看護終了時刻を登録するための新たな設備を設置する必要がなくなる。
【図面の簡単な説明】
【００１３】
【図１】本実施形態によるナースコールシステムの構成例を示すブロック図である。
【図２】本実施形態によるナースコールシステムの動作を示すフローチャートである。
【発明を実施するための形態】
【００１４】
以下、本発明の一実施形態を図面に基づいて説明する。図１は、本実施形態によるナースコールシステムの構成例を示すブロック図である。図１に示すように、本実施形態によるナースコールシステムは、患者の居る病室のベッド近傍に設置され、患者が呼び出しの操作を行うためのナースコール子機１と、病室の出入り口近傍の廊下側の壁面に設置された廊下灯１０と、医療従事者が常駐するナースセンタに設置され、呼び出しを報知するためのナースコール親機２０とを備える。
【００１５】
また、本実施形態によるナースコールシステムは、他の標準的な構成要素として、例えば、病院内の通信センタに設置される図示しないハンディナースコール主装置、図示しない構内交換機（ＰＢＸ：Private Branch Exchange）、図示しない公衆網、図示しない無線ユニットを備えている。ハンディナースコール主装置には無線ユニットが接続されている。また、ＰＢＸは、公衆網に接続されている。ハンディナースコール主装置は、例えば構内ＰＨＳ（Personal
Handy-phone System）対応の交換装置からなるもので、内部制御部やタイムスイッチの他に、複数の内線と、局線と、保守とを備える。ここで、ハンディナースコール主装置の内線にはそれぞれ無線ユニットの無線基地局が接続されている（何れも図示せず）。
【００１６】
無線基地局は、それぞれ無線エリアを形成し、この無線エリア内に存在する構内ＰＨＳとの間で無線回線を介して接続されている。また、ハンディナースコール主装置の局線には構内交換機が接続されている。携帯端末は、医者や看護師、介護者（以下、まとめて医療従事者と記載する）が携帯する。
【００１７】
また、ナースコール子機１は、子機制御部２、呼出操作部３、子機インターフェース４とを備えて構成されている。また、廊下灯１０は、制御部１１、廊下灯インターフェース１２、報知部１３、復旧操作部（特許請求の範囲の復旧操作装置に該当する）１４、カウント部１５を備えて構成されている。また、ナースコール親機２０は、親機制御部２１、親機インターフェース２２、記憶部２３、親機報知部２４、時計部（特許請求の範囲の時計装置に該当する）。
【００１８】
子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。また、子機インターフェース４は、廊下灯１０の廊下灯インターフェース１２に接続されており、ナースコール子機１と廊下灯１０とを電気的に接続する。ここで、患者が医療従事者を呼び出したい場合には、患者は呼出操作部２を操作する。すると、子機制御部２は、呼出信号を生成する。
【００１９】
ここで、呼出信号には、このナースコール子機１を他のナースコール子機１と区別するための子機識別情報が含まれる。また、子機識別情報としては、ベッド番号などの情報が用いられる。また、子機インターフェース４は、子機制御部２により生成された呼出信号を廊下灯１０およびナースコール親機２０に出力する。また、ナースコール子機１とナースコール親機２０との間で通話が可能である場合に、子機インターフェース４は、ナースコール親機２０へ音声信号を送信し、ナースコール親機２０から音声信号を受信する。また、ナースコール子機１と廊下灯１０およびナースコール親機２０との間の通信は、有線や無線によって行われる。また、ナースコール子機１は、呼び出しを行うと次の呼び出しを行うことができない状態になるが、この状態を呼び出し前の待機状態に戻すための復旧信号を入力することで、次の呼び出しを行うことができるようになる。
【００２０】
次に、廊下灯１０の各構成要素について説明する。制御部１１は、廊下灯１０の各構成要素を後述するように制御するためのものであり、ＣＰＵなどにより構成されている。廊下灯インターフェース１２は、ナースコール子機１の子機インターフェース４に接続されており、廊下灯１０とナースコール子機１とを電気的に接続する。また、廊下灯インターフェース１２は、ナースコール親機２０の親機インターフェース２２に接続されており、廊下灯１０とナースコール親機２０とを電気的に接続する。
【００２１】
報知部１３は、ナースコール子機１による呼び出しが行われたことを報知するとともに、廊下灯１０が設置された病室内で医療従事者が看護中であることを報知する。具体的には、報知部１３は、スピーカなどの音声出力装置や表示ディスプレイなどの表示装置、ランプなどの点灯装置の少なくとも一つの装置により構成されている。ここで、廊下灯インターフェース１２がナースコール子機１から呼出信号を入力した場合には、制御部１１は、報知部１３を動作させる。このとき、制御部１１は、第１のパターンで報知部１３を動作させる。例えば、制御部１１は、スピーカから報知音を出力させたり、表示ディスプレイに呼び出しが行われていることを表示させたり、ランプを点滅させたりする。
【００２２】
復旧操作部１４は、廊下灯１０やナースコール親機２０により呼び出しの発生が報知されている状態で（換言すると、報知部１３や親機報知部２４が動作している状態で）、呼び出しの発生の報知に気付いた医療従事者によって操作されるものであり、報知の動作を停止するためのものである。また、復旧操作部１４は、医療従事者が患者の居る病室を自発的に訪れて看護を行う場合に、看護開始時刻や看護終了時刻を登録するために操作される。カウント部１５は、復旧操作部１４が操作された回数をカウントするためのものであり、少なくとも２回までカウントすることができる。
【００２３】
報知部１３が第１のパターンで動作して報知が行われている状態で、復旧操作部１４が操作されると、カウント部１５は、復旧操作部１４が操作された回数「１回」をカウントする。また、制御部１１は、第１のパターンと異なる第２のパターンで報知部１３を動作させる。また、制御部１１は、ナースコール親機２０の時計部２５から現在時刻情報を取得して看護開始時刻情報として出力する。
【００２４】
この状態で、復旧操作部１４が再度操作されると、カウント部１５は、復旧操作部１４が操作された回数「２回」をカウントする。また、制御部１１は、カウント部１５でカウントされている回数「２回」をリセットして「０」に戻す。また、制御部１１は、報知部１３の動作を停止させる。また、制御部１１は、ナースコール親機２０の時計部２５から現在時刻情報を取得して看護終了時刻情報として出力する。また、制御部１１は、ナースコール子機１およびナースコール親機２０を呼び出し前の待機状態に戻すための復旧信号を生成してナースコール子機１およびナースコール親機２０に出力する。
【００２５】
一方、報知部１３が動作していない状態（換言すると、ナースコール子機１による呼び出しが行われていない状態）で、患者の居る病室を訪れた医療従事者により復旧操作部１４が操作されると、カウント部１５は、復旧操作部１４が操作された回数「１回」をカウントする。また、制御部１１は、第２のパターンで報知部１３を動作させる。また、制御部１１は、ナースコール親機２０の時計部２５から現在時刻情報を取得して看護開始時刻情報として出力する。
【００２６】
この状態で、復旧操作部１４が再度操作されると、カウント部１５は、復旧操作部１４が操作された回数「２回」をカウントする。また、制御部１１は、カウント部１５でカウントされている回数「２回」をリセットして「０」に戻す。また、制御部１１は、報知部１３の動作を停止させる。また、制御部１１は、ナースコール親機２０の時計部２５から現在時刻情報を取得して看護終了時刻情報として出力する。ここで、報知部１３が第２のパターンで動作している場合、これを確認した医療従事者は、病室内に他の医療従事者が居ることを把握することができる。
【００２７】
次に、ナースコール親機２０の各構成要素について説明する。親機制御部２１は、ナースコール親機２０の各構成要素を後述するように制御する。親機インターフェース２２は、廊下灯１０の廊下灯インターフェース１２に接続されており、ナースコール親機２０と廊下灯１０とを電気的に接続する。また、親機インターフェース２２は、ナースコール子機１から出力された呼出信号を、廊下灯１０を介して入力する。また、ナースコール親機２０とナースコール子機１との間で通話が可能である場合に、親機インターフェース２２は、ナースコール子機１へ音声信号を送信し、ナースコール子機１から音声信号を受信する。また、ナースコール親機２０と廊下灯１０およびナースコール子機１との間の通信は、有線や無線によって行われる。
【００２８】
記憶部２３は、メモリやハードディスクドライブなどの記憶装置により構成されており、各ナースコール子機１の子機識別情報と患者を識別するための患者識別情報（例えば、患者氏名など）とを対応付けて記憶している。また、記憶部２３は、廊下灯１０から出力された看護開始時刻情報と看護終了時刻情報とを関連付けて記憶する。ここで、看護開始時刻情報および看護終了時刻情報は、患者識別情報にも関連付けられて記憶部２３に記憶される。なお、ナースコール子機１から呼び出しが行われていない場合には、廊下灯１０が設置されている病室内の全てのナースコール子機１の子機識別情報に関連付けられている患者識別情報を関連付けて記憶部２３に記憶しておく。そして、医療従事者がその他の看護記録の情報を入力する際に、全ての患者識別情報の中から看護を行った患者の患者識別情報を選択することで、患者を特定する。
【００２９】
親機報知部２４は、スピーカなどの音声出力装置や表示ディスプレイなどの表示装置、ランプなどの点灯装置の少なくとも一つの装置により構成されている。ここで、親機インターフェース２２がナースコール子機１から呼出信号を入力した場合には、制御部１１は、報知部１３を動作させる。このとき、制御部１１は、入力した呼出信号に含まれる子機識別情報に関連付けて記憶部２３に記憶されている患者識別情報を読み出し、スピーカから報知音を出力させたり、表示ディスプレイに呼び出しが行われていることおよび呼び出しを行った患者の患者識別情報を表示させたり、ランプを点滅させたりする。この状態で、親機インターフェース２２が廊下灯１０から復旧信号を入力した場合には、親機制御部２１は、報知部２４の動作を停止させる。
【００３０】
時計部２５は、現在時刻を計測しており、計測した現在時刻を現在時刻情報として出力する。この現在時刻情報は、前述した廊下灯１０により、看護開始時刻情報や看護終了時刻情報として利用される。
【００３１】
なお、ナースコール子機１からの呼び出しに対して、ナースコール親機２０や構内ＰＨＳにより応答することが可能である。この場合、ナースコール親機２０の親機制御部２１は現場復旧信号を生成し、親機インターフェース２２によって、廊下灯１０に出力する。ここで、現場復旧信号は、廊下灯１０の報知部１３および親機報知部２４の報知を停止するためのものであり、ナースコール子機１を呼び出しの操作が行われる前の状態に戻すためのものではない。従って、ナースコール親機２０や構内ＰＨＳにより応答した医療従事者は、応答後に廊下灯１０に設置された復旧操作部１４を操作する必要がある。また、現場復旧信号を入力した廊下灯１０では、制御部１１が第１のパターンや第２のパターンと異なる第３のパターンで報知部１３を動作させる。
【００３２】
次に、本実施形態によるナースコールシステムの動作を説明する。図２は、本実施形態によるナースコールシステムの動作を示すフローチャートである。まず、ナースコール子機１では、子機操作部３が操作されたか否かを子機制御部２にて調べる（ステップＳ１）。子機操作部３が操作されていないと子機制御部２にて判断した場合には（ステップＳ１にてＮＯ）、ステップＳ１の処理を繰り返す。一方、子機操作部３が操作されたと子機制御部２にて判断した場合には（ステップＳ１にてＹＥＳ）、子機制御部２は、呼出信号を生成して、子機インターフェース４により出力する（ステップＳ２）。この状態で、ナースコール子機１では、子機インターフェース４が復旧信号を入力したか否かを子機制御部２にて調べる（ステップＳ３）。子機インターフェース４が復旧信号を入力していないと子機制御部２にて判断した場合には（ステップＳ３にてＮＯ）、ステップＳ３の処理を繰り返す。
【００３３】
廊下灯１０では、廊下灯インターフェース１２が呼出信号を入力したか否かを制御部１１にて調べる（ステップＳ４）。廊下灯インターフェース１２が呼出信号を入力したと制御部１１にて判断した場合には（ステップＳ４にてＹＥＳ）、制御部１１は報知部１３を第１のパターンで動作させ（ステップＳ５）、ステップＳ６の処理へ移行する。一方。廊下灯インターフェース１２が呼出信号を入力していないと制御部１１にて判断した場合には（ステップＳ４にてＮＯ）、ステップＳ６の処理へ移行する。ステップＳ６では、復旧操作部１４が操作されたか否かを制御部１１にて調べる。
【００３４】
復旧操作部１４が操作されていないと制御部１１にて判断した場合には（ステップＳ６にてＮＯ）、ステップＳ６の処理を繰り返す。一方、復旧操作部１４が操作されたと制御部１１にて判断した場合には（ステップＳ６にてＹＥＳ）、制御部１１は、カウント部１５にてカウントされている回数を取得して、その回数が１回か否かを調べる（ステップＳ７）。カウント部１５にてカウントされている回数が１回である場合には（ステップＳ７にてＹＥＳ）、制御部１１は、報知部１３を第２のパターンで動作させ、ナースコール親機２０の時計部２５から現在時刻情報を取得して看護開始時刻情報として廊下灯インターフェース１２から出力する（ステップＳ８）。
【００３５】
一方、カウント部１５にてカウントされている回数が１回ではない場合には（ステップＳ７にてＮＯ）、制御部１１は、報知部１３の動作を停止させ、ナースコール親機２０の時計部２５から現在時刻情報を取得して看護終了時刻情報として廊下灯インターフェース１２から出力するとともに、カウント部１５にてカウントされている回数をリセットする（ステップＳ９）。ここで、カウント部１５にてカウントされている回数は２回から０にリセットされる。
【００３６】
次に、制御部１１は、廊下灯インターフェース１２が呼出信号を入力していたか（ステップＳ４にてＹＥＳであったか）を調べる（ステップＳ１０）。呼出信号を入力していなかったと制御部１１にて判断した場合には（ステップＳ１０にてＮＯ）、処理を終了する。一方、呼出信号を入力していたと制御部１１にて判断した場合には（ステップＳ１０にてＹＥＳ）、制御部１１は復旧信号を生成して、廊下灯インターフェース１２からナースコール子機１へ出力する（ステップＳ１１）。ナースコール子機１では、子機インターフェース４が復旧信号を入力したか否かを子機制御部２にて調べている（ステップＳ３）ので、子機インターフェース４が復旧信号を入力したと子機制御部２にて判断される（ステップＳ３にてＹＥＳ）。そして、子機制御部２は、ナースコール子機１を待機状態に戻す（ステップＳ１２）。
【００３７】
以上詳しく説明したように、本実施形態によれば、復旧操作部１４が操作された回数をカウント部１５にて調べておき、ナースコール子機１からの呼び出しに対して、復旧操作部１４が操作された回数が１回である場合には、廊下灯１０の制御部１１は、そのときの現在時刻情報を時計部２５から取得して、看護開始時刻情報として出力し、２回である場合には、廊下灯１０の制御部１１は、そのときの現在時刻情報を時計部２５から取得して、看護終了時刻情報として出力している。また、ナースコール子機１からの呼び出しが行われていない場合にも、復旧操作部１４が操作された回数が１回である場合には、制御部１１は、そのときの現在時刻情報を看護開始時刻情報として出力し、２回である場合には、制御部１１は、そのときの現在時刻情報を看護終了時刻情報として出力している。また、復旧操作部１４が操作された回数が１回である時点から２回となる時点までの間、制御部１１は、報知部１３を第２のパターンで動作させるようにしている。
【００３８】
これにより、医療従事者が復旧操作部１４を操作するだけで看護開始時刻情報や看護終了時刻情報が出力されるので、看護記録の看護開始時刻や看護終了時刻を自動的に記憶部２３に登録することができる。従って、看護記録を登録する医療従事者への負担を軽減することができる。また、医療従事者に看護開始時刻や看護終了時刻を登録するための端末を持たせる必要が無くなるので、この点でも医療従事者への負担を軽減することができる。また、医療従事者が患者の居る病室を自発的に訪れて看護を行う場合でも、廊下灯１０に設けた復旧操作部１４を利用して操作するだけで看護開始時刻情報や看護終了時刻情報が出力されるので、看護開始時刻や看護終了時刻を登録するための新たな設備を設置する必要がなくなる。
【００３９】
なお、前述した実施形態では、復旧操作部１４を廊下灯１０に設けるようにしているが、これに限定されない。例えば、患者のベッド近傍に復旧操作部１４を設けるようにしても良い。
【００４０】
また、前述した実施形態では、カウント部１５を廊下灯１０に設けるようにしているが、これに限定されない。例えば、ナースコール親機２０などにカウント部１５を設けるようにしても良い。
【００４１】
また、前述した実施形態では、時計部２５をナースコール親機２０に設けるようにしているが、これに限定されない。例えば、廊下灯１０などに時計部２５を設けるようにしても良い。
【００４２】
また、前述した実施形態では、復旧の操作を復旧操作部１４の操作によって行っているが、これに限定されない。例えば、廊下灯１０にＩＤカードやバーコード、声紋や指紋などの生体情報を読み取ることが可能なリーダが設けられている場合には、それらの情報を読み取ることで復旧の操作を行うようにしても良い。これにより、リーダにより読み取った情報と医療従事者の識別情報とを関連付けて記憶しておくことで、看護を行った医療従事者を看護記録に登録することが可能になる。
【００４３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４４】
１    ナースコール子機
２    子機制御部
３    呼出操作部
４    子機インターフェース
１０    廊下灯
１１    制御部
１２    廊下灯インターフェース
１３    報知部
１４    復旧操作部
１５    カウント部
２０    ナースコール親機
２１    親機制御部
２２    親機インターフェース
２３    記憶部
２４    親機報知部
２５    時計部
【図１】
2010259502.tif 000003
【図２】
2010259502.tif 000004